(57)【要約】【課題】純色を最適に再現することができ、格子点に該当しない色に対する色空間データの補間方法が容易な、カラーマッピング用のルックアップテーブルを用いた信号処理装置の提供。【解決手段】信号処理装置１は、ＨＳＶ色空間を均等パッキングして指定された格子点から構成され、該格子点に該当する色に対する色空間データをテーブル化したルックアップテーブルを記憶するルックアップテーブル記憶部２３と、入力された映像信号の色の色空間を線形色空間に変換する第１の色空間変換部２１と、線形色空間における映像信号の色に該当する格子点に対する色空間データを抽出し、または、線形色空間における映像信号の色の近傍の格子点に対する色空間データを抽出し、該抽出された色空間データを用いて、線形色空間における映像信号の色に対する色空間データを補間するカラーマッピング部２２と、を備える。【選択図】図２
2016072641.tif 000002
【特許請求の範囲】
【請求項１】
ある色を特定する３つのパラメータに色相及び彩度が含まれ、少なくとも、前記色相及び前記彩度が線形的に表すことができる色空間である線形色空間を均等パッキングして指定された格子点から構成され、該格子点に該当する色に対する色空間データをテーブル化したルックアップテーブルを記憶するルックアップテーブル記憶部と、
入力された映像信号の色の色空間を、前記線形色空間に変換する第１の色空間変換部と、
前記線形色空間における前記映像信号の色に該当する前記格子点に対する色空間データを抽出し、該抽出された色空間データを出力し、または、前記線形色空間における前記映像信号の色の近傍の前記格子点に対する色空間データを抽出し、該抽出された色空間データを用いて、前記線形色空間における前記映像信号の色に対する色空間データを補間し、該補間された色空間データを出力するカラーマッピング部と、を備えることを特徴とする信号処理装置。
【請求項２】
前記カラーマッピング部から出力された色空間データの色空間は前記線形色空間であり、
さらに、前記カラーマッピング部から出力された色空間データの色空間を前記線形色空間とは別の色空間に変換する第２の色空間変換部を備えることを特徴とする請求項１に記載の信号処理装置。
【請求項３】
請求項１または２に記載の信号処理装置を備える表示装置。
【請求項４】
ある色を特定する３つのパラメータに色相及び彩度が含まれ、少なくとも、前記色相及び前記彩度が線形的に表すことができる色空間である線形色空間を均等パッキングして指定された格子点から構成され、該格子点に該当する色に対する色空間データをテーブル化したルックアップテーブルを記憶するルックアップテーブル記憶ステップと、入力された映像信号の色の色空間を、前記線形色空間に変換する色空間変換ステップと、前記線形色空間における前記映像信号の色に該当する前記格子点に対する色空間データを抽出し、該抽出された色空間データを出力し、または、前記線形色空間における前記映像信号の色の近傍の前記格子点に対する色空間データを抽出し、該抽出された色空間データを用いて、前記線形色空間における前記映像信号の色に対する色空間データを補間し、該補間された色空間データを出力するカラーマッピングステップと、を有することを特徴とする信号処理方法。
【発明の詳細な説明】
【技術分野】
【０００１】
本発明は、信号処理装置及び表示装置に関し、特に、カラーマッピング用のルックアップテーブルを用いる信号処理装置、該信号処理装置を備える表示装置及び信号処理方法に関する。
【背景技術】
【０００２】
昨今４Ｋディスプレイが市場に登場しており、８Ｋ放送に向けた動きが活発になっている。そのような動向の中、８Ｋ放送の国際規格であるＩＴＵ−Ｒ  ＢＴ．２０２０では色域が従来のＦＨＤ（Full High Definition）よりも広くなっており、今後表示装置側の広色域化も予定されている。
【０００３】
今後、市場には、映像として、従来の放送規格の色域で収録されたものとＢＴ．２０２０等の広色域で収録されたものが混在し、表示装置としても、従来の色域のものと広色域のものが混在していくことが推測される。現在も、ＤＶＤ（Digital Versatile Disk）等に用いられるＳＤ（Standard Definition）映像は、未だに普及率が高く、地上デジタル放送やＢＤ（Blue-ray Disk）に用いられるＨＤ（High Definition）映像と混在していることを鑑みると、上記の推測は妥当と思われる。
【０００４】
そうすると、テレビ放送を視るとき等に、入力信号の色域と、表示装置の色域が大きく異なる場合もある。この場合、正しい色再現ができなくなり、違和感・不快感につながってしまう。例えば、入力信号の放送規格がＩＴＵ−Ｒ  ＢＴ．７０９でありその色域が通常の色域であるときに、該入力信号が入力された表示装置の色域が広色域である場合、該表示装置によって再現された画像の色は、本来再現したい色より濃くなってしまう。逆に、入力信号の放送規格がＢＴ．２０２０でありその色域が広色域であるときに、該入力信号が入力された表示装置の色域が通常の色域である場合、該表示装置によって再現された画像の色は、本来再現したい色より薄くなってしまう。
【０００５】
この問題を解決する方法としては、ルックアップテーブルを用いてカラーマッピングして、再現する色を調整する方法がある。
そのルックアップテーブルとしては、ＣＩＥＬＡＢ色空間を均等パッキングまたは非均等パッキングして格子点を指定し、指定された格子点に該当する色に対するＣＩＥＬＡＢデータをテーブル化したものが知られている。ただし、このカラーマッピング用ルックアップテーブルでは、純色をルックアップテーブルの格子点として指定できない場合が多く、このように指定できない場合、該ルックアップテーブルを用いて入力信号の色を調整しても最適に純色を再現できない。
【０００６】
この点を鑑み、特許文献１には、カラーマッピング用のルックアップテーブルとして、ＣＩＥＬＡＢ色空間における純色、無彩色、境界色などの主要色を格子点とし、該格子点とされた主要色それぞれに対する色空間データをテーブル化したルックアップテーブルが開示されている。なお、境界色とは、例えば、ＨＳＶ色空間において純色とＨ（色相）が共通する色の領域の境界線上に位置する色である。
【先行技術文献】
【特許文献】
【０００７】
【特許文献１】特開２００６−２０３８９６号公報
【発明の開示】
【発明が解決しようとする課題】
【０００８】
特許文献１に開示のルックアップテーブルは、純色を最適に再現するのには適しているが、格子点に該当しない色に対するＣＩＥＬＡＢデータなどの色空間データをその色の周辺の格子点に対する色空間データを用いて補間する方法が非常に複雑になってしまう。
【０００９】
本発明は、上述のような実情に鑑みてなされたものであり、純色を最適に再現することができると共に、格子点に該当しない色に対する色空間データの補間方法が容易なカラーマッピング用のルックアップテーブルを用いた信号処理装置、該信号処理装置を備えた表示装置及び信号処理方法を提供することをその目的とする。
【課題を解決するための手段】
【００１０】
上記課題を解決するために、本発明の第１の技術手段は、信号処理装置であって、ある色を特定する３つのパラメータに色相及び彩度が含まれ、少なくとも、前記色相及び前記彩度が線形的に表すことができる色空間である線形色空間を均等パッキングして指定された格子点から構成され、該格子点に該当する色に対する色空間データをテーブル化したルックアップテーブルを記憶するルックアップテーブル記憶部と、入力された映像信号の色の色空間を、前記線形色空間に変換する第１の色空間変換部と、前記線形色空間における前記映像信号の色に該当する前記格子点に対する色空間データを抽出し、該抽出された色空間データを出力し、または、前記線形色空間における前記映像信号の色の近傍の前記格子点に対する色空間データを抽出し、該抽出された色空間データを用いて、前記線形色空間における前記映像信号の色に対する色空間データを補間し、該補間された色空間データを出力するカラーマッピング部と、を備えることを特徴としたものである。
【００１１】
本発明の第２の技術手段は、第１の技術手段において、前記カラーマッピング部から出力された色空間データの色空間が前記線形色空間であり、さらに、前記カラーマッピング部から出力された色空間データの色空間を前記線形色空間とは別の色空間に変換する第２の色空間変換部を備えることを特徴としたものである。
【００１２】
本発明の第３の技術手段は、第１または第２の技術手段の信号処理装置を備える表示装置である。
【００１３】
本発明の第４の技術手段は、信号処理方法であって、ある色を特定する３つのパラメータに色相及び彩度が含まれ、少なくとも、前記色相及び前記彩度が線形的に表すことができる色空間である線形色空間を均等パッキングして指定された格子点から構成され、該格子点に該当する色に対する色空間データをテーブル化したルックアップテーブルを記憶するルックアップテーブル記憶ステップと、入力された映像信号の色の色空間を、前記線形色空間に変換する色空間変換ステップと、前記線形色空間における前記映像信号の色に該当する前記格子点に対する色空間データを抽出し、該抽出された色空間データを出力し、または、前記線形色空間における前記映像信号の色の近傍の前記格子点に対する色空間データを抽出し、該抽出された色空間データを用いて、前記線形色空間における前記映像信号の色に対する色空間データを補間し、該補間された色空間データを出力するカラーマッピングステップと、を有することを特徴としたものである。
【発明の効果】
【００１４】
本発明によれば、純色を最適に再現することができる。また、格子点に該当しない色に対する色空間データの補間を容易に行うことができる。
【図面の簡単な説明】
【００１５】
【図１】本発明の実施例１に係わる表示装置を説明するための図である。
【図２】図１の信号処理装置の構成例を説明するための図である。
【図３】図１の信号処理装置の処理例を説明するためのフローチャートである。
【図４】ＨＳＶ色空間における入力映像信号の色の近傍の格子点を決定する方法を説明するための図である。
【図５】本発明の利点を説明するための図である。
【図６】本発明の利点を説明するための図である。
【図７】本発明の実施例２に係る信号処理装置を説明するための図である。
【発明を実施するための形態】
【００１６】
以下、図面を参照しながら、本発明のジョブ処理装置の好適な実施形態について説明する。なお、以下の発明において、異なる図面においても同じ符号を付した構成は同様のものであるとして、その説明を省略する。
【００１７】
（実施例１）
図１は、本発明の実施例１に係わる表示装置を説明するための図である。
図１の表示装置１は、入力された映像信号に信号処理を施し、その結果に基づいて表示を行うものであり、信号処理装置２と、表示部３とを備える。
【００１８】
信号処理装置２は、入力された映像信号に対して信号処理を行うものである。信号処理装置２に入力される映像信号は、例えば、不図示のチューナを介して受信したテレビ放送信号に含まれる映像信号、または、ＨＤＤ（Hard Disk Drive）レコーダ等の再生装置により再生され不図示の外部インタフェースを介して受信した映像信号である。
表示部３は、信号処理装置２から出力された信号に従って表示を行うものであり、液晶パネルを有する。
【００１９】
以下の説明では、表示装置１には、映像信号として、放送規格がＢＴ．７０６であり色域が通常色域である映像信号が入力され、表示部３の液晶パネルとして、広色域の液晶パネルが用いられているものとする。
【００２０】
図２は、図１の信号処理装置２の構成例を説明するための図である。
図示するように、信号処理装置２は、第１の色空間変換部２１と、カラーマッピング部２２と、ルックアップテーブル記憶部２３と、第２の色空間変換部２４とを有する。
【００２１】
第１の色空間変換部２１は、入力された映像信号の色空間をＹＣｂＣｒ色空間から、Ｈ（Hue：色相）、Ｓ（Saturation：彩度）、Ｖ（Value：明度）の３つの成分からなるＨＳＶ色空間に変換する。
なお、第１の色空間変換部２１による変換先の色空間は、ＨＳＶ色空間に限られず、他の線形色空間であってもよい。線形色空間とは、ある色を特定する３つのパラメータに色相及び彩度が含まれ、少なくとも、色相及び彩度が線形的に表すことができる色空間、言い換えると、少なくとも、色相及び彩度の変化が一定である色空間である。
【００２２】
カラーマッピング部２２は、第１の色空間変換部２１から出力された、色空間がＨＳＶ色空間に変換された映像信号と、ルックアップテーブル記憶部２３に記憶されたルックアップテーブルとに基づき、カラーマッピングを行う。カラーマッピング部２２でのより具体的な処理については後述する。
【００２３】
ルックアップテーブル記憶部２３は、カラーマッピング用のルックアップテーブルを記憶するものであり、例えば半導体メモリで構成される。該記憶部２３はＨＤＤで構成されてもよい。
ルックアップテーブル記憶部２３に記憶されたルックアップテーブルは、純色が格子点となるようにＨＳＶ色空間を均等パッキングして指定された格子点から構成され、該格子点に対するＨＳＶ色空間データをテーブル化したものである。
【００２４】
第２の色空間変換部２４は、カラーマッピング部２２によるカラーマッピング後のデータの色の色空間を、ＨＳＶ色空間から後段の処理部で処理可能な他の色空間、例えばＹＣｂＣｒ色空間やＲＧＢ色空間に変換する。後段の処理部とは例えば図１の表示部３である。
【００２５】
図３は、上述の信号処理装置２の処理例を説明するためのフローチャートである。
信号処理装置２では、映像信号が入力されると（ステップＳ１）、第１の色空間変換部２１が、入力された映像信号の色空間をＹＣｂＣｒ色空間からＨＳＶ色空間に変換する（ステップＳ２）。
そして、色空間がＨＳＶ色空間に変換された映像信号が第１の色空間変換部２１からカラーマッピング部２２へ入力されると、カラーマッピング部２２が、ＨＳＶ色空間における入力映像信号の色が、ルックアップテーブル記憶部２３に記憶されたルックアップテーブルの格子点に該当するか判定する（ステップＳ３）。
【００２６】
入力映像信号の色が純色の場合など、ＨＳＶ色空間における入力映像信号の色が格子点に該当する場合（ＹＥＳの場合）、カラーマッピング部２２が、該格子点に対するＨＳＶ色空間データをルックアップテーブルから抽出し（ステップＳ４）、抽出されたＨＳＶ色空間データを第２の色空間変換部２４へ出力する。
これにより、信号処理装置２では純色を最適に再現することができるようにしている。
次いで、第２の色空間変換部２４が、入力されたデータの色の色空間を、ＨＳＶ色空間からＲＧＢ色空間に変換して出力する（ステップＳ５）。
【００２７】
一方、ＨＳＶ色空間における入力映像信号の色がルックアップテーブルの格子点に該当しない場合（ステップＳ３、ＮＯの場合）、カラーマッピング部２２が、上記ＨＳＶ色空間における入力映像信号の色の近傍の格子点に対するＨＳＶ色空間データをルックアップテーブルから抽出する（ステップＳ６）。そして、カラーマッピング部２２が、抽出されたＨＳＶ色空間データに基づいて、入力映像信号の色に対するＨＳＶ色空間データを補間／算出し（ステップＳ７）、補間／算出されたＨＳＶ色空間データを第２の色空間変換部２４へ出力し、処理がステップＳ５へ移行される。
【００２８】
図４は、ＨＳＶ色空間における入力映像信号の色がルックアップテーブルの格子点に該当しない場合に、上記入力映像信号の色の近傍の格子点すなわち補間に用いる格子点を決定する方法を説明するための図である。図４には、ルックアップテーブル記憶部２３に記憶のルックアップテーブルの格子点、すなわち、ＨＳＶ色空間を均等パッキングして指定された格子点を示している。
【００２９】
図４には、Ｖ＝１の格子点のうち、（Ｈ、Ｓ、Ｖ）＝（０、１００、１）の格子点Ｐ１１、（Ｈ、Ｓ、Ｖ）＝（０、９０、１）の格子点Ｐ１２、（Ｈ、Ｓ、Ｖ）＝（０、８０、１）の格子点Ｐ１３、（Ｈ、Ｓ、Ｖ）＝（６０、１００、１）の格子点Ｐ１４、（Ｈ、Ｓ、Ｖ）＝（６０、９０、１）の格子点Ｐ１５のみが示されている。ただし、ルックアップテーブル記憶部２３に記憶のルックアップテーブルの格子点は、上記格子点Ｐ１１〜Ｐ１５だけでなく、Ｖ＝１である他の格子点も存在し、また、Ｖ＝１以外（例えば、Ｖ＝０．９、Ｖ＝０．８等）の格子点も存在する。
【００３０】
ＨＳＶ色空間における入力映像信号の色の近傍の格子点の決定方法では例えば以下の（１）〜（３）の場合に応じて異なる格子点を上記近傍の格子点とする。
【００３１】
（１）例えば、ＨＳＶ色空間における入力映像信号の色Ｐ１の座標値が（Ｈ、Ｓ、Ｖ）＝（０、９５、１）であり、Ｈ値及びＶ値のみ格子点Ｐ１１〜Ｐ１３等と同じである場合、入力映像信号の色Ｐ１と同じＨ値及びＶ値を有すると共に入力映像信号の色Ｐ１のＳ値に最も近いまたは２番目に近いＳ値を有する２つの格子点Ｐ１２、Ｐ１３を上記近傍の格子点とする。
言い換えると、ＨＳＶ色空間における入力映像信号の色のＨＳＶ座標値と、ルックアップテーブルを構成するいずれかの格子点のＨＳＶ座標値とで、３つの成分のうち２つの成分についてのみ同じ値を有するものがある場合、該２つの成分について上記同じ値を有すると共に他の１つの成分について入力映像信号の色の値に最も近いまたは２番目に近い値を有する２つの格子点を上記近傍の格子点とする。
【００３２】
（２）また、例えば、ＨＳＶ色空間における入力映像信号の色Ｐ２の座標値が（Ｈ、Ｓ、Ｖ）＝（３０、９５、１）であり、Ｖ値のみ格子点Ｐ１１〜Ｐ１５等と同じである場合、入力映像信号の色Ｐ２と同じＶ値を有すると共に該色Ｐ２のＨ値に最も近いまたは２番目に近いＨ値を有し更に該色Ｐ２のＳ値に最も近いまたは２番目に近いＳ値を有する４つの格子点Ｐ１１、Ｐ１２、Ｐ１４、Ｐ１５を上記近傍の格子点とする。
言い換えると、ＨＳＶ色空間における入力映像信号の色のＨＳＶ座標値と、ルックアップテーブルを構成するいずれかの格子点のＨＳＶ座標値とで、３つの成分のうち１つの成分についてのみ同じ値を有するものがある場合、該１つの成分について上記同じ値を有すると共に他の２つの成分それぞれについて入力映像信号の色の値に最も近いまたは２番目に近い値を有する４つの格子点を上記近傍の格子点とする。
【００３３】
（３）上記（１）、（２）に該当しない場合は、ＨＳＶの３つの成分それぞれについて入力映像信号の色の値に最も近いまたは２番目に近い値を有する８つの格子点を上記近傍の格子点とする。
【００３４】
信号処理装置２では、上記（１）〜（３）のように、入力映像信号の色に対する補間に用いる格子点の決定方法を単純化できる。しかし、信号処理装置２におけるルックアップテーブルとは異なり、例えば、特許文献１に開示の技術などのようにカラーマッピング用ルックアップテーブルの格子点がＣＩＥＬＡＢ色空間における任意の位置にある場合、補間に用いる格子点は簡単に決定することができない。
【００３５】
なお、信号処理装置２において、ルックアップテーブルの格子点に該当しない色に対する色空間データの補間は、例えば、他の格子点に対する色空間データの線形和で行う。信号処理装置２では、ＨＳＶ色空間データそれぞれに対する線形係数は、「該ＨＳＶ色空間データが与えられたＨＳＶ色空間の格子点」から「入力映像信号の色」までのＨＳＶ色空間における距離に応じて、一意に定めることができる。
ルックアップテーブルの格子点に該当しない色に対する色空間データの補間に際し線形和を用いるのは、特許文献１に開示の技術などのように格子点がＣＩＥＬＡＢ色空間における任意の位置にあるルックアップテーブルを用いる場合でも同様である。しかし、この場合、上記線形和における、色空間データそれぞれに対する線形係数は、簡単に決定できない。
【００３６】
上述のように、信号処理装置２において、入力映像信号の色に対する補間に用いる格子点の決定方法と、上記補間に際する線形和の線形係数の決定方法が簡単なのは、ルックアップテーブルの格子点がＨＳＶ色空間を均等パッキングして指定されたものであるためである。以下、この点に関し、図５及び図６を用いて説明する。
【００３７】
図５のグラフは、明度Ｓ＝１において横軸を色相Ｈとし縦軸を彩度Ｓとしたグラフであって、該グラフには、ＨＳＶ色空間における原色ＲＧＢ及び補色ＣＭＹの純色がプロットされていると共に、該純色それぞれの彩度を１０％ずつ減らしていった色がプロットされている。
また、図６のグラフは、図５でプロットした色をＣＩＥＬＡＢ空間においてもプロットしたときの様子をＬ＊軸方向から見た様子を示すグラフであり、横軸をａ＊、縦軸をｂ＊としている。
【００３８】
ここで、ＨＳＶ色空間を均等パッキングして図５及び図６のグラフにプロットされた各色を格子点としたルックアップテーブルと、ＣＩＥＬＡＢ色空間において図５及び図６のグラフにプロットされた各色を格子点としたルックアップテーブルを考える。以下、前者のルックアップテーブルをＨＳＶルックアップテーブル、後者のルックアップテーブルをＣＩＥＬＡＢルックアップテーブルという。
【００３９】
信号処理装置２においても利用可能なＨＳＶルックアップテーブルでは、ＨＳＶ色空間のどの領域においても、格子点の間隔や格子点の位置関係が同じである。しかし、ＣＩＥＬＡＢルックアップテーブルでは、ＣＩＥＬＡＢ色空間の領域ごとに、格子点の間隔や格子点の位置関係が異なる。
【００４０】
したがって、ＨＳＶルックアップテーブルを適用する場合、図５に示すように格子点に該当しない色Ｐ３が入力されたとき、ＨＳＶ色空間における該色Ｐ３と各格子点の位置関係に基づいて、色Ｐ３に対する色空間データの補間に用いる格子点Ｐ３１〜Ｐ３４を簡単に決定できる。しかし、ＣＩＥＬＡＢルックアップテーブルを適用する場合、図６のように格子点に該当しない色Ｐ４（図５の色Ｐ３に相当）が入力されたとき、補間に用いる格子点として、ＨＳＶルックアップテーブルを適用する場合と同じ格子点Ｐ４１〜Ｐ４４（それぞれ図５の格子点Ｐ３１〜３４に相当）を選択しようとしても、ＣＩＥＬＡＢ色空間における該色Ｐ４と各格子点の位置関係から簡単に決定することができない。
【００４１】
より具体的には、ＨＳＶルックアップテーブルを適用する場合、色Ｐ３に対する色空間データの補間に用いる格子点は、色Ｐ３と近いＨ値及びＳ値を持つという簡単な条件から、格子点Ｐ３１〜Ｐ３４を決定できる。しかし、ＣＩＥＬＡＢルックアップテーブルを適用する場合、上記と同様な条件すなわち色Ｐ４と近いａ＊値及びｂ＊値を持つという条件からは、色Ｐ４に対する色空間データの補間に用いる格子点として格子点Ｐ４１〜Ｐ４４を決定することができない。色Ｐ４と近いａ＊値及びｂ＊値を持つという条件では、他の格子点、例えば格子点Ｐ４５等が選択されてしまう。
このように、ＨＳＶ色空間を均等パッキングして指定された格子点から構成されたルックアップテーブルを用いる場合、入力映像信号の色に対する補間に用いる格子点の決定方法が簡単である。
【００４２】
また、ＨＳＶ色空間では、任意の２点間の距離と該２点それぞれが示す色の類似度とは比例している。それに対し、ＣＩＥＬＡＢ色空間では任意の２点間の距離と該２点それぞれが示す色の類似度は比例していない。この点は、以下の点からも明らかである。すなわち、図５において、原色Ｒの純色を示す格子点Ｐ３１とＲ純色の彩度９０％の色を示す格子点Ｐ３２との距離が、上記格子点Ｐ３２とＲ純色の彩度８０％の色を示す格子点Ｐ３５との距離に等しいが、一方、図６において、原色Ｒの純色を示す格子点Ｐ４１とＲ純色の彩度９０％の色を示す格子点Ｐ３４との距離が、上記格子点Ｐ４２とＲ純色の彩度８０％の色を示す格子点Ｐ４５との距離と異なることから明らかである。
【００４３】
したがって、ＨＳＶルックアップテーブルを用いる場合、格子点に該当しない色に対する色空間データの補間に用いる線形係数は、「該線形係数を乗ずるＨＳＶ色空間データが与えられた格子点」から「格子点に該当しない色」までのＨＳＶ色空間における距離に応じて、簡単に決定することができる。しかし、ＣＩＥＬＡＢルックアップテーブルを用いる場合、同様な線形係数は、ＨＳＶルックアップテーブルを用いる場合のように簡単に決定することができない。
このように、ＨＳＶ色空間を均等パッキングして指定された格子点から構成されたルックアップテーブルを用いる場合、入力映像信号の色に対する補間に採用する線形和の線形係数の決定方法が簡単である。
【００４４】
（実施例２）
図７は、本発明の実施例２に係る信号処理装置を説明するための図である。
図７の信号処理装置２´は、実施例１の信号処理装置２と、ルックアップテーブル記憶部２３´に記憶されたルックアップテーブルが異なる。ルックアップテーブル記憶部２３´に記憶されたルックアップテーブルは、純色が格子点となるようにＨＳＶ色空間を均等パッキングして指定された格子点から構成され、該格子点に対するＲＧＢ色空間データをテーブル化したものである。
【００４５】
信号処理装置２´のカラーマッピング部２２は、出力するデータの色空間はＲＧＢ色空間であり、実施例１のカラーマッピング部２２が出力するデータの色空間と異なるが、行う処理は同じである。
信号処理装置２´は、カラーマッピング部２２から出力されたデータをそのまま図１の表示部３等の後段の処理部に出力できるため、図２の第２の色空間変換部２４を省略することができる。
【００４６】
以上の説明では、色域が通常色域である映像信号が表示装置に入力され、広色域の表示パネルが用いられているものとしたが、本発明は、色域が広色域である映像信号が表示装置に入力され、通常色域の表示パネルが用いられる場合にも適用可能である。また、本発明の信号処理装置は、入力映像信号が通常色域で表示パネルが広色域の場合のルックアップテーブルと、入力映像信号が広色域で表示パネルが通常色域の場合のルックアップテーブルとの両方を有していてもよい。また、本発明において、入力映像信号と表示パネルの両方が通常色域の場合、及び／または、入力映像信号と表示パネルの両方が広色域の場合もカラーマッピングすることとし、これらカラーマッピングのためのルックアップテーブルも信号処理装置に記憶するようにしてもよい。
【００４７】
本発明の信号処理装置は、ある色を特定する３つのパラメータに色相及び彩度が含まれ、少なくとも、前記色相及び前記彩度が線形的に表すことができる色空間である線形色空間を均等パッキングして指定された格子点から構成され、該格子点に該当する色に対する色空間データをテーブル化したルックアップテーブルを記憶するルックアップテーブル記憶部と、入力された映像信号の色の色空間を、線形色空間に変換する第１の色空間変換部と、線形色空間における映像信号の色に該当する格子点に対する色空間データを抽出し、該抽出された色空間データを出力し、または、線形色空間における映像信号の色の近傍の格子点に対する色空間データを抽出し、該抽出された色空間データを用いて、線形色空間における映像信号の色に対する色空間データを補間し、該補間された色空間データを出力するカラーマッピング部と、を備える。このように構成することにより、純色を最適に再現することができ、また、格子点に該当しない色に対する色空間データの補間を容易に行うことができる。
【００４８】
カラーマッピング部から出力された色空間データの色空間が、線形色空間である場合、信号処理装置は、さらに、カラーマッピング部から出力された色空間データの色空間を線形色空間とは別の色空間に変換する第２の色空間変換部を備えることが好ましい。
【００４９】
本発明の表示装置は、上記信号処理装置を備えるものである。
【００５０】
本発明の信号処理方法は、ある色を特定する３つのパラメータに色相及び彩度が含まれ、少なくとも、前記色相及び前記彩度が線形的に表すことができる色空間である線形色空間を均等パッキングして指定された格子点から構成され、該格子点に該当する色に対する色空間データをテーブル化したルックアップテーブルを記憶するルックアップテーブル記憶ステップと、入力された映像信号の色の色空間を、前記線形色空間に変換する色空間変換ステップと、前記線形色空間における前記映像信号の色に該当する前記格子点に対する色空間データを抽出し、該抽出された色空間データを出力し、または、前記線形色空間における前記映像信号の色の近傍の前記格子点に対する色空間データを抽出し、該抽出された色空間データを用いて、前記線形色空間における前記映像信号の色に対する色空間データを補間し、該補間された色空間データを出力するカラーマッピングステップと、を有する。
【符号の説明】
【００５１】
１…表示装置、２…信号処理装置、２１…第１の色空間変換部、２２…カラーマッピング部、２３…ルックアップテーブル記憶部、２４…第２の色空間変換部、３…表示部。
【図１】
2016072641.tif 000003
【図２】
2016072641.tif 000004
【図３】
2016072641.tif 000005
【図４】
2016072641.tif 000006
【図５】
2016072641.tif 000007
【図６】
2016072641.tif 000008
【図７】
2016072641.tif 000009